(57)【要約】【課題】床部材の前面に樋部材を容易に係止させることができる自動販売機を提供すること。【解決手段】商品収容室の内外の温度差によって結露した水分を回収する樋部材が商品収容室を画成する床部材の前面に取り付けられる自動販売機において、樋部材２０を水平方向にスライド移動した場合に床部材の前面に取り付けた段付ボルト４０に係止される左右だるま孔２１ａを樋部材２０の取付基部２１に設けるとともに、段付ボルト４０に左右だるま孔２１ａが係止された状態で樋部材２０を垂直方向にスライド移動した場合にさらに床部材の前面に取り付けた段付ボルト４０に係止される上下だるま孔２１ｂを樋部材２０の取付基部２１に設けるようにした。【選択図】        図１
2009294784.tif 000002
【特許請求の範囲】
【請求項１】
商品収容室の内外の温度差によって結露した水分を回収する樋部材が前記商品収容室を画成する床部材の前面に取り付けられる自動販売機において、
前記樋部材を水平方向にスライド移動した場合に水平方向において係止される水平方向係止手段を前記床部材と前記樋部材との間に設けるとともに、前記樋部材が水平方向係止手段によって係止された状態で前記樋部材を垂直方向にスライド移動した場合にさらに垂直方向において係止される垂直方向係止手段を前記床部材と前記樋部材との間に設けたことを特徴とする自動販売機。
【請求項２】
前記水平方向係止手段は、前記床部材の前面一側に取り付けられ、軸部よりも大径となる頭部を有する段付ボルトと、樋部材に設けられ、段付ボルトの頭部が挿通する大径の貫通孔と軸部が挿通する小径の貫通孔とが左右に連なった左右だるま孔とにより構成され、前記垂直方向係止手段は、前記床部材の前面他側に取り付けられ、軸部よりも大径となる頭部を有する段付ボルトと、樋部材に設けられ、段付ボルトの軸部が挿通する小径の貫通孔と頭部が挿通する大径の貫通孔とが上下に連なった上下だるま孔とにより構成されたことを特徴とする請求項１に記載の自動販売機。
【請求項３】
前記左右だるま孔は、大径の貫通孔が左に小径の貫通孔が右に設けてあり、前記上下だるま孔は、小径の貫通孔が上に大径の貫通孔が下に設けてあることを特徴とする請求項２に記載の自動販売機。
【発明の詳細な説明】
【技術分野】
【０００１】
本発明は、商品収容室の内外の温度差によって結露した水分を回収する樋部材を備えた自動販売機に関するものである。
【背景技術】
【０００２】
缶入り飲料、ビン入り飲料、又はペットボトル入り飲料等の商品を販売する自動販売機は、前面が開口した箱状の本体キャビネットと、本体キャビネットの一側縁に支承され、本体キャビネットの前面開口を閉塞する外扉とを備えている。
【０００３】
本体キャビネットの内部には、上下に仕切る床部材が配設してあり、床部材の上方に商品収容室が画成され、床部材の下方に機械室が画成されている。商品収容室の内部となる天井面、内壁面、床面には、断熱材が貼設されている。さらに、商品収容室は、左右に仕切る断熱仕切板が配設してあり、商品収容室は、複数（例えば、三つ）の商品収納庫に画成されている。各商品収納庫には、蒸発器、ヒータ、ファンが配設してあり、商品収納庫ごとに、内部の空気を冷やしたり、温めたりすることができるようになっている。
【０００４】
また、本体キャビネットと外扉との間には、断熱構造を有した内扉が配設してある。内扉は、本体キャビネットの一側縁に支承され、商品収容室の前面を覆うことにより、商品収容室（商品収納庫）を断熱するようになっている。
【０００５】
このように断熱され、商品収容室の内外に温度差を生じる自動販売機は、商品収容室と機械室とを画成する床部材の前面に、温度差によって結露した水分（水滴）を回収する樋部材を備えている。樋部材は、図５に示すように、床部材の前面両側に突設した爪１４０に樋部材１２０に設けた穴１２０ａ，１２０ｂを挿通させることにより、床部材の前面に係止され、さらに、中央部をねじ止めすることにより、取り付けられている。
【０００６】
また、前記床部材の前縁には、機械室に配設した冷凍機から分岐された冷媒供給管を各商品収納庫に配設した蒸発器に導くための凹部が形成され、樋部材１２０の取り付けに際して冷媒供給管に巻き付けたクッション部材を加圧することにより、凹部を封止するよう構成されている（例えば、特許文献１参照）。
【０００７】
【特許文献１】特開２００７−３４８３２号公報
【発明の開示】
【発明が解決しようとする課題】
【０００８】
しかしながら、上述した樋部材１２０は、商品収容室の全幅に亘る長さ（幅）を有する細長い部材であるために、床部材の前面両側に突設した爪１４０に樋部材１２０に設けた穴１２０ａ、１２０ｂを同時に挿通させ、床部材の前面に樋部材１２０を係止させるのは意外に難しい作業となっていた。
【０００９】
さらに、樋部材１２０の取り付けに際して、クッション部材の反発力が樋部材に作用するので、樋部材の取り付けが一層難しく、煩雑作業となっていた。
【００１０】
本発明は、上記実情に鑑みて、床部材の前面に樋部材を容易に係止させることができる自動販売機を提供することを目的とする。
【課題を解決するための手段】
【００１１】
上記の目的を達成するために、本発明の請求項１に係る自動販売機は、商品収容室の内外の温度差によって結露した水分を回収する樋部材が前記商品収容室を画成する床部材の前面に取り付けられる自動販売機において、前記樋部材を水平方向にスライド移動した場合に水平方向において係止される水平方向係止手段を前記床部材と前記樋部材との間に設けるとともに、前記樋部材が水平方向係止手段によって係止された状態で前記樋部材を垂直方向にスライド移動した場合にさらに垂直方向において係止される垂直方向係止手段を前記床部材と前記樋部材との間に設けたことを特徴とする。
【００１２】
また、本発明の請求項２に係る自動販売機は、上記請求項１において、前記水平方向係止手段は、前記床部材の前面一側に取り付けられ、軸部よりも大径となる頭部を有する段付ボルトと、樋部材に設けられ、段付ボルトの頭部が挿通する大径の貫通孔と軸部が挿通する小径の貫通孔とが左右に連なった左右だるま孔とにより構成され、前記垂直方向係止手段は、前記床部材の前面他側に取り付けられ、軸部よりも大径となる頭部を有する段付ボルトと、樋部材に設けられ、段付ボルトの軸部が挿通する小径の貫通孔と頭部が挿通する大径の貫通孔とが上下に連なった上下だるま孔とにより構成されたことを特徴とする。
【００１３】
また、本発明の請求項３に係る自動販売機は、上記請求項２において、前記左右だるま孔は、大径の貫通孔が左に小径の貫通孔が右に設けてあり、前記上下だるま孔は、小径の貫通孔が上に大径の貫通孔が下に設けてあることを特徴とする。
【発明の効果】
【００１４】
本発明に係る自動販売機は、床部材と樋部材との間に、樋部材を水平方向にスライド移動した場合に水平方向において係止される水平方向係止手段と、樋部材が水平方向係止手段によって係止された状態で樋部材を垂直方向にスライド移動した場合にさらに垂直方向において係止される垂直方向係止手段とを設けたので、樋部材と水平方向にスライド移動させた後、さらに垂直方向にスライド移動させれば、樋部材が床部材の前面に係止される。すなわち、水平方向係止手段と垂直方向係止手段を順番に係止させればよいので、床部材の前面に樋部材を容易に係止させることができる。
【発明を実施するための最良の形態】
【００１５】
以下に添付図面を参照して、本発明に係る自動販売機の好適な実施の形態を詳細に説明する。なお、この実施の形態によりこの発明が限定されるものではない。
【００１６】
図１は、本発明の実施の形態である自動販売機を示す概念図である。ここで例示する自動販売機は、缶入り飲料、ビン入り飲料、またはペットボトル入り飲料等の商品を冷やしたり、温めたりした状態で販売するものである。
【００１７】
図１に示すように、自動販売機は、前面が開口した箱状の本体キャビネット１と、本体キャビネット１の左側縁に支承され、本体キャビネット１の前面開口を閉塞する外扉２とを備えている。
【００１８】
本体キャビネット１の内部には、上下に仕切る床部材３が配設してあり、床部材３の上方に商品収容室４が画成され、床部材３の下方に機械室５が画成されている。商品収容室４の内部となる天井面、内壁面、床面には、断熱材（図示せず）が貼設されている。さらに、商品収容室４は、左右に仕切る断熱仕切板６が配設してあり、商品収容室４は、複数（例えば、三つ）の商品収納庫４ａ，４ｂ，４ｃに画成されている。各商品収納庫４ａ，４ｂ，４ｃには、蒸発器、ヒータ、ファン（以上図示せず）が配設してあり、商品収納庫４ａ，４ｂ，４ｃごとに、内部の空気を冷やしたり、温めたりすることができるようになっている。
【００１９】
また、商品収納庫４ａ，４ｂ，４ｃには、商品収納ラック７が搭載してある。商品収納ラック７は、内部に画成された商品収納通路（図示せず）に商品を収納するとともに、販売指令にしたがって商品収納通路から商品を払い出すようになっている。
【００２０】
商品収納ラック７の上方部には、トップトレイ８が配設してある。トップトレイ８は、商品収納通路に商品を搬入するためのもので、手前から奥方に向けて漸次低くなるように傾斜配置してある。そして、上下に隣り合うトップトレイ８の相互間には、商品投入通路が画成され、商品投入口８ａが上部前面に開口している。
【００２１】
一方、商品収納ラック７の下方となる商品収納庫４ａ，４ｂ，４ｃの下方部には、シュータ９が配設してある。シュータ９は、上述した蒸発器、ヒータ、ファンを覆うとともに、商品収納ラック７から払い出された商品を搬出するためのもので、奥方から手前に向けて漸次低くなるように傾斜配置してある。
【００２２】
また、本体キャビネット１と外扉２との間には、断熱構造を有した内扉１０が配設してある。内扉１０は、商品収容室４の前面を覆うことにより、商品収容室（商品収納庫）４を断熱するもので、本実施の形態である内扉１０は、商品収容室４の上部前面に開口した商品投入口８ａを覆う上部内扉１１と、商品収容室４の下部前面を覆う下部内扉１２とにより、構成されている。上部内扉１１は、外扉２の背面に取り付けられ、外扉２とともに開閉されるようになっている。一方、下部内扉１２は、本体キャビネット１の左側縁に支承され、外扉２とは独立して開閉されるようになっている。したがって、商品を補充するために外扉２を開放すれば、商品収容室４の上部前面に開口した商品投入口８ａが露出するものの、下部前面は下部内扉１２によって覆われた状態を持続することになる。
【００２３】
下部内扉１２には、各商品収納庫４ａ，４ｂ，４ｃに対応するように商品搬出口１２ａ，１２ｂ，１２ｃが設けてある。商品搬出口１２ａ，１２ｂ，１２ｃは、上縁が支承されたフラッパ（扉体）１３によって閉塞されている。したがって、商品収納庫４ａ，４ｂ，４ｃに収納された商品収納ラック７から商品が払い出されると、商品はシュータ９を経て商品搬出口１２ａ，１２ｂ，１２ｃに到り、フラッパ１３を押し開くことになる。そして、フラッパ１３を押し開いた商品は、外扉２に設けられた取出口部２ａに搬出され、当該商品は利用者によって取り出し可能となる。
【００２４】
このように断熱され、商品収容室４の内外に温度差を生じる自動販売機は、図２に示すように、商品収容室４と機械室５とを画成する床部材３の前面に樋部材２０が取り付けてある。樋部材２０は、商品収容室４の内外の温度差によって結露した水分（水滴）を回収するものであり、図３に示すように、下部内扉１２を閉塞した場合に下部内扉１２と密着し、下部内扉１２との間に生じる隙間を塞ぐガスケット３０が取り付けてある。
【００２５】
樋部材２０は、鋼板を適宜折り曲げたものであって、商品収容室４の全幅に亘る長さ（幅）を有する細長い部材である。樋部材２０は、床部材３の前面に取り付けられる取付基部２１、取付基部２１から斜め下前方に向けて屈曲する屈曲部２２、屈曲部２２から下方に延在し、下端に樋２３が形成される樋部２４を有している。
【００２６】
図４に示すように、取付基部２１の幅方向左側となる部分には、後述する段付ボルト４０の頭部が挿通する大径の貫通孔２１ａ１が左で軸部が挿通する小径の貫通孔２１ａ２が右となるように貫通孔が左右に連なっただるま孔２１ａが形成してあり、取付基部２１の幅方向右側となる部分には、後述する段付ボルト４０の軸部が挿通する小径の貫通孔２１ｂ１が上で頭部が挿通する大径の貫通孔２１ｂ２が下となるように貫通孔が上下に連なっただるま孔２１ｂが形成してある。また、取付基部２１の幅方向中央には、貫通孔２１ｅ（図２参照）が形成してある。
【００２７】
また、取付基部２１の幅方向左側となる部分２１ｃと、幅方向右側となる部分２１ｄには、コの字となるスリットが形成してあり、スリットにより矩形にかたどられた突片２１ｃ１、２１ｄ１が後方に向けて折り曲げてある。
【００２８】
樋２３は、温度差によって結露した水分（水滴）を集めて排水口２３ａから排出するためのもので、前後方向において手前が高く奥が低くなるように、かつ、左右方向において排水口２３ａに向かって漸次低くなるように傾斜している。
【００２９】
ガスケット３０は、合成樹脂を押出成型したもので、樋部材２０と同様に、商品収容室４の全幅に亘る長さを有する細長い部材である。ガスケット３０は、図３に示すように、前面が樋部材２０の取付基部２１に密着した状態で樋部材２０に取り付けられる取付基部３１と、取付基部３１の前方に設けられ、閉塞した下部内扉１２と密着し、下部内扉１２との間に生じる隙間を塞ぐシール部３２とを有している。
【００３０】
取付基部３１は、樋部材２０の突片２１ｃ１，２１ｄ１と対応する位置に細長い矩形のスリット（図示せず）が設けてある。このスリットは、樋部材２０にガスケット３０を取り付けるためのもので、樋部材２０にガスケット３０を組み合わせることにより、スリットに突片２１ｃ１、２１ｄ１を挿通させ、その後、突片２１ｃ１，２１ｄ１を折り曲げることにより、樋部材２０にガスケット３０が取り付けられている。
【００３１】
取付基部３１の後面には、全幅に亘って延在するヒレ３１ａ，３１ｂ，３１ｃが上下方向に複数（例えば、三つ）形成してある。ヒレ３１ａ，３１ｂ，３１ｃは、ガスケット３０が取り付けられた樋部材２０を床部材３の前面に取り付けると、傾倒することによって床部材３の前面に密着し、床部材３の前面とガスケット３０の後面との間から空気が漏れないようになっている。
【００３２】
シール部３２は、全幅に亘って延在する筒体を上下方向に複数（例えば、三つ）形成したものである。したがって、閉塞した下部内扉によって容易に変形し、下部内扉１２との間に生じる隙間を塞ぎ、閉塞した下部内扉１２とガスケット３０の前面との間から空気が漏れないようになっている。
【００３３】
一方、床部材３の前面、樋部材２０のだるま孔（小径の貫通孔２１ａ２，２１ｂ１）２１ａ，２１ｂと対応する位置には、段付ボルト４０が取り付けてある。段付ボルト４０は、大径の貫通孔２１ａ１，２１ｂ２と小径の貫通孔２１ａ２，２１ｂ１とに挿通する軸部と、大径の貫通孔２１ａ１，２１ｂ２にのみ挿通する頭部とを有しており、だるま孔２１ａ，２１ｂは、大径の貫通孔２１ａ１，２１ｂ２において段付ボルト４０の頭部を挿通させ、小径の貫通孔２１ａ２，２１ｂ１において頭部を係止するようになっている。
【００３４】
したがって、上述した樋部材２０を床部材３の前面に取り付ける場合には、図４に示すように、段付ボルト４０の頭部を左右に連なっただるま孔２１ａの大径の貫通孔２１ａ１に挿通させた後、樋部材２０を左方（水平方向）にスライド移動させ、段付ボルト４０の頭部を左右に連なっただるま孔２１ａの小径の貫通孔２１ａ１に係止させる。その後、段付ボルト４０の頭部を上下に連なっただるま孔２１ｂの大径の貫通孔２１ｂ２に挿通させた後、樋部材２０の右側を下方（垂直方向）にスライド移動させ、小径の貫通孔２１ｂ１に係止させればよい。このように左右に連なっただるま孔２１ａによって樋部材２０の左側を係止させた後、上下に連なっただるま孔２１ｂによって樋部材２０の右側を係止させれば、床部材３の前面に樋部材２０を容易に係止させることができる。
【００３５】
したがって、樋部材２０を取り付ける際に、床部材３の前縁を貫通する冷媒供給管に巻き付けられたクッション部材（図示せず）を加圧することにより、クッション部材の反発力が樋部材２０に作用しても、樋部材２０を簡単・容易に取り付けることができる。
【００３６】
このように、床部材３の前面に係止させた樋部材２０は、貫通孔２１ｅを挿通したねじ（図示せず）によってねじ止めされ、以降、ねじを取り外さない限り、床部材３の前面から樋部材２０が脱落することはない。
【００３７】
以上説明したように、本実施の形態である自動販売機によれば、床部材３の前面に樋部材２０を容易に係止させることができる。
【図面の簡単な説明】
【００３８】
【図１】本発明の実施の形態である自動販売機を示す斜視図である。
【図２】床部材の前面に樋部材を取り付けた状態を示す正面図である。
【図３】床部材の前面に樋部材を取り付けた状態を示す側断面図である。
【図４】本実施の形態に係る樋部材の取り付け手順を説明する説明図である。
【図５】従前の形態に係る樋部材の取り付け手順を説明する説明図である。
【符号の説明】
【００３９】
１    本体キャビネット
２    外扉
２ａ    取出口部
３    床部材
４    商品収容室
４ａ，４ｂ，４ｃ    商品収納庫
５    機械室
６    断熱仕切板
７    商品収納ラック
８    トップトレイ
８ａ    商品投入口
９    シュータ
１０    内扉
１１    上部内扉
１２    下部内扉
１２ａ，１２ｂ，１２ｃ    商品搬出口
１３    フラッパ
２０    樋部材
２１    取付基部
２１ａ    だるま孔
２１ａ１    大径の貫通孔
２１ａ２    小径の貫通孔
２１ｂ    だるま孔
２１ｂ１    小径の貫通孔
２１ｂ２    大径の貫通孔
２１ｅ    貫通孔
２１ｃ１，２１ｄ１    突片
２２    屈曲部
２３ａ    排水口
２３    樋
２４    樋部
３０    ガスケット
３１    取付基部
３１ａ，３１ｂ，３１ｃ    ヒレ
３２    シール部
４０    段付ボルト
【図１】
2009294784.tif 000003
【図２】
2009294784.tif 000004
【図３】
2009294784.tif 000005
【図４】
2009294784.tif 000006
【図５】
2009294784.tif 000007